(57)【要約】【課題】テープカッタを、引き出す接着用テープが、タブ６のない状態と、タブ６を具備する状態との二様の切り換えが簡単に行えるように構成する。【解決手段】接着用テープｔのロールＲを回転自在に支持するテープ保持枠ａの前端側に、ロールＲから引き出す接着用テープｔの引出端部ｔ’を仮止め支承する支台２を設け、その支台２の前面側でその支台２から指一本程度の距離を隔てた部位に第２支台２ａを設けてこれにカッタ刃ｃを装設し、この第２支台２ａと支台２との間に、それらの間隔内を自在に動く可動台７を設けて、その可動台７に常態において第２支台２ａの後面側に閉じ合わされる状態位置に向け移動させるよう付勢するバネ５を連繋し、かつ、この可動台７の側端部に、バネ５の付勢に抗して該可動台７を支台２側に移動させるための操作部９を設ける。【選択図】図８
2005187205.tif 000002
【特許請求の範囲】
【請求項１】
接着用テープｔのロールＲを回転自在に支持するテープ保持枠ａの前端側に、ロールＲから引き出す接着用テープｔの引出端部ｔ’を仮止め支承する支台２を設け、その支台２の前面側でその支台２から指一本程度の距離を隔てた部位に第２支台２ａを設けてこれにカッタ刃ｃを装設し、この第２支台２ａと支台２との間に、それらの間隔内を自在に動く可動台７を設けて、その可動台７の常態において第２支台２ａの後面側に閉じ合わされる状態位置に向け移動させるよう付勢するバネ５を連繋し、かつ、この可動台７の側端部に、バネ５の付勢に抗して該可動台７を支台２側に移動させるための操作部９を設けたことを特徴とするテープカッタ。
【請求項２】
支台２の頂面には、前方に向け上昇傾斜する傾斜面ｗを設け、可動台７の頂面には前方に向けて下降傾斜する傾斜面ｙを設けたことを特徴とする請求項１記載のテープカッタ。
【発明の詳細な説明】
【技術分野】
【０００１】  本発明は、セロファンテープの片面に粘着剤を貼付した接着用テープが巻かれているロールから引き出したテープを、所定の長さに引き出した位置において切断するテープカッタに関する。
【背景技術】
【０００２】  上述のテープカッタとしては、図１にあるように、テーブルの上などの適宜の作業台上に載置する台枠状に形成したテープ保持枠ａの一端側となる後端側（図１おいて右端側）に寄せた部位に、接着用テープｔが巻き込まれたロール（巻束）Ｒの巻芯穴に嵌挿してそのロールＲを回転自在に支承するリール１を、装脱自在に組み付け、テープ保持枠ａの他端側となる前端側には、前記リール１の外周に芯穴を嵌挿してテープ保持枠ａに回転自在に支架したロールＲから接着面側が下面側となる状態で引き出される接着用テープｔの下面側に上端面が当接して、その接着用テープｔの引出端部ｔ’を支承する支台２を、前記ロールＲと該支台２との間に、引き出し操作する人の指よりも広い巾となる間隔を隔てた位置において、引き出した接着用テープｔの下方に指が通る空間ｂが形成される高さに突設し、この支台２の上端面の前面側に、刃先が支台２の上端面よりも少し突出する鋸歯状のカッタ刃ｃを設けて構成した形態のものがある。【０００３】  このテープカッタは、接着用テープｔを使用するときには、ロールＲから引き出されてその引出端部ｔ’が支台２の上端面に付着している接着用テープｔを、支台２とロールＲとの間に形成される空間ｂに通す指先により狭持して持ち上げることで支台２の上端面に接着している引出端部ｔ’をその上端面から剥離し、この状態において、狭持した接着用テープｔを引っ張ることでロールＲから引き出し、その引き出した長さが所望の長さとなったところで、狭持して摘んでいた接着用テープｔを下方に引き下げ、それの途中を支台２の上端面に向け下降させて当接させ、その状態から狭持している接着用テープｔを下降させることで、そのテープｔの支台２よりも引き出した部位の始端部を、支台２の上端面の前面側に設けたカッタ刃ｃとの接触により切り離し、これを、使用しようとする個所に貼着するようにする。そして、ロールＲと支台２との間に渡架されるように残した接着用テープｔの切り残し部位が、次に、接着用テープｔを使用しようとするときに、指先で摘んで引き出すための引出口となるようにしているものである。【０００４】  また、ハンデータイプのものとして、図２および図３に示しているように、テープ保持枠ａを合成樹脂材により右方の枠体３と左方の枠体４とに分離可能に成形しておいて、それの一方の枠体３には、他方の枠体４との対向面で、後端側（図において右端側）に寄せた部位に、接着用テープｔの巻束であるロールＲの芯穴を嵌挿してそのロールＲを回転自在に支承するための軸筒３０を一体に成形しておき、前端側に寄る部位には、前記ロールＲから引き出す接着用テープｔを摘む空間ｂを形成するための切欠部３１を形成し、前端部には、前記ロールＲから引き出した接着用テープｔの引出端部ｔ’を接着させて仮保持させておく支台２を設け、それの頂面の前面側にカッタ刃ｃを設けておく。【０００５】  そして、これに対向させる他方の枠体４には、前記一方の枠体３との対向面で、後端側に寄せた部位に、前記一方の枠体３に設けた軸筒３０に嵌合して、一対の枠体３・４を結合させてテープ保持枠ａを組み立てる嵌合筒４０を設けておき、接着用テープｔの巻束であるロールＲを、前記一方の枠体３に���けた軸筒３０に該ロールＲの芯穴を嵌挿して回転自在にセットした状態において、この他方の枠体４を突き合わせ、それに設けておく嵌合筒４０を前記一方の枠体３に設けた軸筒３０に嵌め合わせてテープ保持枠ａに組み立て、ロールＲから引き出した接着用テープｔの引出端部ｔ’を、支台２の頂面に接着して支承させておくことにより、テープ保持枠ａを一方の掌で保持した状態で、ロールＲと支台２との間に渡架状態にある接着用テープｔを他方の手の指先で摘んで引き出し、所定の長さに引き出したところで、支台２に設けてあるカッタ刃ｃに押し付けて、切り離すようにした形態のテープカッタである。【０００６】  これらのテープカッタは、ロールＲから所望の長さに引き出して、テープ保持枠ａの支台２の前面側に設けたカッタ刃ｃにより切り離して使用する接着用テープｔは、それの両端がそれぞれカッタ刃ｃにより切断されていることで、使用して器物に貼着した接着用テープｔを剥離するときに、剥がしずらい問題がある。【０００７】  これを解決するための手段として、特開平９−１０００６１号公報記載の手段がある。この手段は、図４にあるように、テープ保持枠ａの前端側（図４において左端側）に上方に向け立ち上がるように設ける支台２の前面側に設けておくカッタ刃ｃを、支台２の前面から所定の距離範囲で前方に向け移動自在に設けておいて、これを、常態において、支台２の前面に閉じ合わされている位置に向け押し出すようバネ５により付勢しておくことで、接着テープｔを引き出したときに、その接着テープｔがカッタ刃ｃを移動範囲を規制するストッパＳに衝合するまで前方に移動させて、接着テープｔを支台２から所定距離だけ前方に離した位置において切断し、切り離しが終えたときに、カッタ刃ｃがバネ５により旧の位置に復元していくことで、切り残した接着用テープｔの切り離し端部が、カッタ刃ｃに付着した状態で支台２の前面に寄せられることにより、その接着用テープｔの端部に図５・図６にあるように、タブ６を形成するようになる手段、または、図７にあるように、支台２の前面側に設けるカッタ刃ｃを、支台２から所定距離だけ前方に離れた位置に設けておいて、このカッタ刃ｃと支台２との間に、自在に回動する可動台７を設けて、これを常態において支台２の前面に閉じ合わされた位置を占めているように、バネ５により支台２側に向け付勢しておいて、接着用テープｔを所望の長さに引き出して、カッタ刃ｃにより切り離して使用するとき、切り残した側の接着用テープｔの引出端部ｔ’が、可動台７に接着した状態で、その可動台７の復元移動により支台２の前面に向け移動することで、支台２と復元した可動台７との間にタブ６を形成し、次回に接着用テープｔを使用するときに、このタブ６を摘んで引き出せ、かつ、器物に貼着したときに、一端側にタブ６が存在する状態となって、剥離を容易にする手段が提起されている。
【特許文献１】特開平９−１０００６１号公報
【発明の開示】
【発明が解決しようとする課題】
【０００８】  上述の従前のテープカッタは、図１・図２に示している通常のテープカッタにあっては、引き出してカッタ刃ｃにより切断せしめて使用する接着用テープｔを器物に貼着したとき、それの剥離が厄介であり、また、引き出した接着用テープｔの引出端部ｔ’にタブ６が形成される図４〜図７に示す特開平９−１０００６１号公報にある手段にあっては、引き出して使用する接着テープｔの一端側に必ずタブ６が形成されるようになることから、引き出した接着用テープｔを貼着して使用するときに、後に剥離することを望まない場合には、タブ６の接着部を剥すか、切り取って使用しなければならない厄介な問題がでてくる。【０００９】  本発明において解決しようとする課題は、テープカッタを、引き出す接着用テープが、タブ６のない状態と、タブ６を具備する状態との二様の切り換えが簡単に行えるように構成することにある。
【課題を解決するための手段】
【００１０】  本発明は、接着用テープｔのロールＲを回転自在に支持するテープ保持枠ａの前端側に、ロールＲから引き出す接着用テープｔの引出端部ｔ’を仮止め支承する支台２を設け、その支台２の前面側でその支台２から指一本程度の距離を隔てた部位に第２支台２ａを設けてこれにカッタ刃ｃを装設し、この第２支台２ａと支台２との間に、それらの間隔内を自在に動く可動台７を設けて、その可動台７の常態において第２支台２ａの後面側に閉じ合わされる状態位置に向け移動させるよう付勢するバネ５を連繋し、かつ、この可動台７の側端部に、バネ５の付勢に抗して該可動台７を支台２側に移動させるための操作部９を設けたことを特徴とするテープカッタを提起するものである。【００１１】  また、これに併せて、上述のテープカッタにおいて、それの支台２の頂面には、前方に向け上昇傾斜する傾斜面ｗを設け、可動台７の頂面には前方に向けて下降傾斜する傾斜面ｙを設けておく手段を提起するものである。
【発明の効果】
【００１２】  本発明手段によれば、テープ保持枠ａに軸支したロールＲから接着用テープｔを引き出して、所望の器物に貼着しようとするとき、その使用しようとする接着用テープｔの両端が切り離された状態であることを望むときには、接着用テープｔを使用しようとする所望の長さだけ引き出して、カッタ刃ｃに当てて切断すればよく、また、貼着する接着用テープｔの一端側に、剥離用のタブ６が存在していることを望む場合には、接着用テープｔを引き出す前に、可動台７に設けてある操作部９を指で後方に押し込み、その可動台７を支台２の前面に突き当てるように移動させ、可動台７の頂面に接着している接着用テープｔの引出端部ｔ’を後方に送れば、支台２の頂面に接着している部位との間に生成される垂みがタブ６を形成していくようになるから、このタブ６を摘んで接着用テープｔを所望長さに引き出し、カッタ刃ｃにより切り離せば、一端側にタブ６を具備する接着用テープｔが取り出される。【００１３】  このとき、可動台７はバネ５の付勢で第２支台２ａの後面と当接する位置に復元してくるから、次に接着用テープｔを引き出すときに、タブ６が付かない状態とタブ付きの状態との何れかを所望に選択して引き出せるようになる。
【発明を実施するための最良の形態】
【００１４】  本発明手段によるテープカッタは、テープ保持枠ａには、それに軸支するロールＲから引き出す接着用テープｔの引出端部ｔ’を仮止め支承させるようテープ保持枠ａの前端側に立設する支台２の前方で、少しの距離をおいた部位に、第２支台２ａを設けて、これに、カッタ刃ｃを支持させ、この第２支台２ａと支台２との間に、前後に自在に動く可動台７を配設して、それが常態において第２支台２ａの後面に衝合した位置を占めるようにバネ５で付勢した形態となっていればよく、テープ保持枠ａは、ハンディタイプのもの、または、所望の場所に設置する置き台状にするなど適宜に構成してよいものである。【００１５】  また、第２支台２ａは、それに支持させるカッタ刃ｃが実質的に第２支台を構成するようにしてもよい。【００１６】  また、支台２と第２支台２ａとの間に、それらの間隔内を往復移動するように設ける可動台７は、第２支台２ａを可動台７の可動範囲を規制するストッパとなるよう極く小さいものに形成し得る。
【実施例１】
【００１７】  次に実施の１例を図面について詳述する。
図８〜図１３は、本発明を実施せるテープカッタＡを示し、図８は全体の斜視図、図９は縦断した側面図、図１０は組み付ける可動台７の斜視図、図１１は第２支台２ａの斜視図、図１２および図１３は作用を説明する縦断面図である。【００１８】  これら図において、ａはテープ保持枠、３はそれの左右の一半側を形成する一側の枠体、４はこれに装脱自在に組み付ける他側の枠体、３０は一側の枠体３の内壁面で後端側（図において右端側）に寄る部位に装設せるロールＲの芯穴を嵌挿するための軸筒、２はテープ保持枠ａの前端側に寄る部位に装設せる支台、２ａはテープ保持枠ａの前端部に装設せる第２支台、７はその第２支台２ａと前記支台２との間に配位してそれらの間隔内を前後に移動自在に設けた可動台、５は可動台７を第２支台２ａの後面に当接する位置に向け移動させるよう付勢するバネ、ｃはカッタ刃を示す。【００１９】  テープ保持枠ａの左右の枠体３・４は、この例においては、金属板により形成してあり、そのため、軸筒３０および支台２ならびに第２支台２ａは、左右の側板状に成形せる枠体３・４と別体の駒状に形成して、これら枠体３・４の左右の間隔内の所定位置に配位し、止めビス９０により組み付けるようにしてある。【００２０】  このテープ保持枠ａの左右の枠体３・４は、合成樹脂材で成形する場合がある。そのときは、駒状に成形する軸筒３０および支台２ならびに第２支台２ａは、それらの左右の各一端側が、一側の枠体３の内面側に一体に連続するように成形しておいて、遊端側となる端面に、それぞれ嵌合穴を形設しておき、他側の枠体４の内壁面で対応する部位に、それぞれ嵌合突起を一体に連続させて形設しておいて、この嵌合突起と前述の嵌合穴との嵌合により、左右の枠体３・４を閉じ合わせる組み立てが行われ、嵌合穴からの嵌合突起の引き抜きにより、枠体３・４が左右に分割されて、軸筒３０に対する新しいロールＲの装填が行えるようにする。【００２１】  左右の枠体３・４には、ロールＲを軸支する軸筒３０と支台２との間で、支台２に寄る部位に、ロールＲから引き出す接着用テープｔの下方に、指を通す空間を形成するための切欠部３１が設けられ、また、支台２と第２支台２ａとの間の部位にも指を通す空間を作るための切欠部３１を形成している。【００２２】  支台２は、ロールＲから引き出した接着用テープｔの引出端部を仮止め状態に支承しておくための頂面を、接着用テープｔの引き出し方向となる前方に向けて、上昇傾斜する傾斜面ｗに形成してある。【００２３】  第２支台２ａは、引き出した接着用テープｔを切断するカッタ刃ｃの取付台であり、カッタ刃ｃは、図１１にあるように、この第２支台２ａの上面に形成しておく溝２１に刃身を圧入して嵌合させることで装設するようにしてある。【００２４】  このカッタ刃ｃは、第２支台２ａを合成樹脂材で成形するときに、これの上端側のエッジを鋸歯状に成形することで、この第２支台２ａ自体で形成するようにする場合がある。【００２５】  可動台７は、この例においては、図１０に示しているように、それの下端側に支軸８を嵌挿する軸穴７０を設けて、この軸穴７０を、左右の軸端部を左右の枠体３・４に挿通してテープ保持枠ａに取り付けておく支軸８に嵌挿さ��ることで、この支軸８中心に前後に回動することにより、支台２と第２支台２ａとの間を自在に移動するようにしてある。【００２６】  そして、この可動台７には、それとテープ保持枠ａとの間に、該可動台７を支軸８中心に前方に回動するよう付勢するバネ５が設けてあって、常態において、図１２にあるように第２支台２ａの後面に接合して閉じ合わされた状態に保持されるようにしてある。【００２７】  また、この可動台７には、それの上端側となる回動端側に、左右に張り出すラグ状の操作部９が形設してあって、これに指をかけてバネ５の付勢に抗して後方に押し込むことで、図１３にあるよう支台２の前面側に当接してそれに閉じ合わされた状態位置を占めるようにしてある。【００２８】  さらに、この可動台７は、それの頂面が、支台２と第２支台２ａとの各頂面を結ぶ仮想線よりも上方に突出するように、下端の支軸８からの突出高さを設定してあり、かつ、その頂面は、前方に向かい下降傾斜する傾斜面ｙに形成してある。【００２９】  そして、この傾斜面ｙにより、ロールＲから引き出された接着用テープｔが、カッタ刃ｃにより切断されて、図１２にあるように、そのカッタ刃ｃの刃縁から可動台７の頂面および支台２の頂面を経てロールＲの周面との間に張り渡される状態となったときに、支台２の頂面の傾斜面ｗとの共動により、可動台７と支台２との間の部位を、上方に太鼓状に張り出させるようにしている。【００３０】  このように構成するテープカッタＡは、ロールＲから引き出されてカッタ刃ｃの刃縁までの間に張り渡されている接着用テープｔを摘んで、所望の長さだけ引き出し、摘んだ部位を下方に動かしカッタ刃ｃに当てることで、両端が切断された状態の接着用テープｔが所望の長さで取り出される。【００３１】  また、図１２に示す状態から操作部９を指先で押して、可動台７をバネ５の付勢に抗して後方に押し込めば、接着用テープｔの支台２と第２支台２ａとの間の部位が、図１３にあるよう上方に膨らみながら２つ折りに畳まれてタブ６を形成するようになるから、このタブ６を摘んで所望長さに引き出し、カッタ刃ｃに押し付けて切断することで、一端側にタブ６の付いた状態として所望長さの接着用テープｔが取り出せるようになる。
【図面の簡単な説明】
【００３２】
【図１】従前のテープカッタの斜視図である。
【図２】従前のテープカッタのハンディタイプのものの左右の枠体を分解した状態の斜視図である。
【図３】同上のテープカッタの組み立てた状態の斜視図である。
【図４】従前の別の形態のテープカッタの斜視図である。
【図５】同上テープカッタの接着用テープを切断する機構部分の斜視図である。
【図６】同上テープカッタの同上切断機構部分の作用の説明図である。
【図７】同上テープカッタの同上の切断機構部分の別の構造のものの斜視図である。
【図８】本発明の実施例の全体の斜視図である。
【図９】同上実施例の側面図である。
【図１０】同上実施例の可動台の斜視図である。
【図１１】同上実施例の第２支台およびカッタ刃の斜視図である。
【図１２】同上実施例の引き出した接着テープを切断した状態時の縦断側面図である。
【図１３】同上実施例の可動台をバネの付勢に抗して後方に押し込んだ状態時の縦断側面図である。
【符号の説明】
【００３３】  Ａ…テープカッタ、Ｒ…ロール、Ｓ…ストッパ、ａ…テープ保持枠、ｂ…空間、ｃ…カッタ刃、ｔ…接着用テープ、ｔ’…接着用テープの引出端部、ｙ・ｗ…傾斜面、１…リール、２…支台，２ａ…第２支台、２０…テープ仮止め面、２１…溝、３…枠体、３０…軸筒、３１…切欠部、４…枠体、４０…嵌合筒、５…バネ、６…タブ、７…可動台、７０…軸穴、８…支軸、９…操作部、９０…止めビス。
【図１】
2005187205.tif 000003
【図２】
2005187205.tif 000004
【図３】
2005187205.tif 000005
【図４】
2005187205.tif 000006
【図５】
2005187205.tif 000007
【図６】
2005187205.tif 000008
【図７】
2005187205.tif 000009
【図８】
2005187205.tif 000010
【図９】
2005187205.tif 000011
【図１０】
2005187205.tif 000012
【図１１】
2005187205.tif 000013
【図１２】
2005187205.tif 000014
【図１３】
2005187205.tif 000015